(57)【要約】【課題】信号導体とシールド導体間は、所定の静電容量を有して所定の特性インピーダンスを確保すると共に、信号導体間は、その離間する距離を狭めて結合度を高め、スキューと信号減衰を低減することができる２心平衡ケーブルを提供する。【解決手段】内部導体１２を第１の絶縁層１３により絶縁被覆した２本のコア電線１１を対にして、その周囲を外部導体１４で覆い、外部導体１４の外周を第２の絶縁層１６で被覆した２心平衡ケーブルであって、第１の絶縁層１３の厚さＤａを、第１の絶縁層１３の外周に外部導体を接して配したときに必要とされる静電容量より大きくなる厚さとし、第１の絶縁層１３と外部導体１４との間に第３の絶縁層１７を配し、第１の絶縁層１３と合わせて必要とされる特性インピーダンスとなるようにする。【選択図】図１
2007026909.tif 000002
【特許請求の範囲】
【請求項１】
内部導体を第１の絶縁層により絶縁被覆した２本のコア電線を対にして、その周囲を外部導体で覆い、前記外部導体の外周を第２の絶縁層で被覆した２心平衡ケーブルであって、前記第１の絶縁層の厚さを、前記第１の絶縁層の外周に前記外部導体を接して配したときに必要とされる静電容量より大きくなる厚さとし、前記第１の絶縁層と前記外部導体との間に第３の絶縁層を配し、前記第１の絶縁層と合わせて必要とされる特性インピーダンスとなるように構成したことを特徴とする２心平衡ケーブル。
【請求項２】
前記第１の絶縁層に対する前記第３の絶縁層の誘電率の比が０.７〜１.３であることを特徴とする請求項１に記載の２心平衡ケーブル。
【請求項３】
前記第３の絶縁層と前記外部導体との間にドレインワイヤを配したことを特徴とする請求項１又は２に記載の２心平衡ケーブル。
【発明の詳細な説明】
【技術分野】
【０００１】
本発明は、２本の絶縁電線を対にしてシールド導体でシールドした２心平衡ケーブルに関する。
【背景技術】
【０００２】
２心平衡ケーブルは、２心の信号導体を１組にして高速デジタル信号を伝送するのに用いられるケーブルとしてよく知られている。この信号伝送方法は、位相を１８０度反転させた信号を２心の信号導体に同時に入力して送信し、受信側で差分合成する差動伝送とも言われている方法で、受信側で信号出力を２倍にすることができる。また、送信から受信に至る伝送系路途中で受けたノイズ信号は、２心の導体に等しく加えられているので、受信側で差動信号として出力したときにキャンセルされ、ノイズが除去されるという機能を有している。
【０００３】
この２心平衡ケーブルは、信号導体を絶縁体で被覆した２本の絶縁電線を撚り合せて対にしたツイストペアケーブルと言われているもの、また、２本の絶縁電線を撚らずに並行にした状態で対にしたケーブル（シールドされたものはツイナックスケーブルと言われている）がある。前者のツイストペアケーブルは、安価で平衡性に優れ、曲げも容易で中距離の伝送に適しているとされている。後者のケーブルは、ケーブル結線が簡易で省スペース向きとされ、ツイストペアケーブルに比べて２本の導体間の物理長の差が少ないとも言われている。
【０００４】
上記の何れのケーブルも、差動伝送に用いる場合は、ケーブル自体で耐ノイズ性を有してはいるが完全ではない。また、ケーブル伝送路の近傍に金属体（他の電線や筐体等）などがあると、それがグランドとなって、ケーブルの位置関係によって特性インピーダンスが乱れたりバラツクことがある。このため、特性インピーダンスの乱れ等を軽減し、また、特に高周波伝送ではノイズに対する耐性を高めるために、一般的には、２本の絶縁電線を共通の導体でシールドした構成が採用されている。
【０００５】
図４（Ａ），（Ｂ）は、例えば、特許文献１に開示の２心平衡ケーブルの一例を示す断面図と斜視図で、信号導体２を絶縁体３で絶縁した２本の絶縁電線１を対にして、ポリエステルテープにアルミ箔等を張りつけた金属箔テープを縦添え又は巻付けして、シールド導体４としている。そして、シールド導体４と絶縁電線１の間には、シールド導体４の導電面と接触するようにドレインワイヤ５を縦添して、グランドに接続するようにしている。シールド導体４の外面は、シールド導体４を電気的に絶縁すると共に、汚染を防ぎ、ケーブルとしての耐水性を持たせるために外被６で被覆されている。
【０００６】
また、図５は、特許文献２に開示の複合差動ペアケーブル（カッドケーブル）の一例を示す図である。信号導体２を絶縁体３により被覆した４本又は２対の絶縁電線１を充填芯材８を中心に環状に配し、複数の絶縁電線１を囲んで絶縁スペーサ７を配している。絶縁スペーサ７の外周には、編組導体又はアルミ化されたポリエステルからなるシールド導体４が配され、その外周を外被６で覆っている。
【特許文献１】特開２００２−２８９０４７号公報
【特許文献２】特表平９−５１１３５９号公報
【発明の開示】
【発明が解決しようとする課題】
【０００７】
２心の信号導体を用いて差動伝送を行なう場合、（１）信号の減衰特性、（２）２心の導体で生じる信号伝搬の遅延時間差（スキュー）、（３）特性インピーダンスが伝送特性として考慮される。（１）の信号の減衰は、高周波になるほど大きく、信号伝送の使用周波数領域での信号振幅が小さくなり、デジタル信号（０，１）の判別にゆらぎが生じることがある。信号の減衰量は、ケーブルの抵抗損と誘電体損に分けられるが、１０ＧＨｚの高周波帯域までは抵抗損が支配的である。抵抗損は、ケーブルを構成する金属中を流れる電流で発生し、また、その電流分布が偏ることによって増加する。ケーブルを構成する金属としては、２心平衡ケーブルでは、２本の信号導体とシールド導体（ドレインワイヤを含む）である。
【０００８】
２心平衡ケーブルで差動信号を伝送する場合には、シールド導体上には電流は流れないというイメージであるが、実際上は無視できない電流が生じる。これは、ケーブルの２本の信号導体間には、ある程度離間した距離が存在し、かつ正相と逆相の位相反転された信号が付与されているので、２本の信号導体間で電位差を有している。そして、２本の信号導体を覆っているシールド導体は、完全導体ではないため上記の電位差のある導体電位がシールド導体上に誘導されて電位差を生じる。この結果、シールド導体上に電流が流れて損失が生じる。なお、シールド導体を有しないケーブルでは、このような損失は生じないことになる。
【０００９】
また、２心平衡ケーブルで正相と逆相の差動信号を伝送する場合には、２本の信号導体間で信号の伝搬速度に差があると、受信側に到達する時間が異なる。この時間差は、スキューと呼ばれているが、このスキューがあると受信信号に波形歪みが生じると共に、外部に対して、ノイズを発生するなどの悪影響を及ぼす。信号の遅延時間は、信号導体の物理長と波長短縮率で決定される電気長に依存する。波長短縮率は、信号導体とシールド導体間の比誘電率εの１／２乗に依存し、比誘電率は静電容量と絶縁層外径／導体径に関係している。したがって、２本の信号導体を絶縁する絶縁体の構成で比誘電率に差があるような場合は、スキューが大きくなる。
【００１０】
（３）の特性インピーダンスは、伝送路の電圧と電流の比を表すもので、同一電圧の信号を伝送する場合、特性インピーダンスを高くすることにより伝送路に流れる電流が少なくできることから、電流依存の抵抗損失を低減することができる。但し、接続される装置のインピーダンスとの間に差があると、その比に対応した反射が起こるため、ここで損失が生じる。この２つの損失要素の最適値で設計することで伝送距離を延ばすことができるが、信号導体とシールド導体間の絶縁材料の誘電率を一定とすれば、高いインピーダンスを得るためには絶縁体厚さを厚くする必要がある。
【００１１】
図４の従来の２心平衡ケーブルにおいては、信号導体２を絶縁する絶縁体３は、所定の特性インピーダンスとなるように、所定の誘電率を有する材料が選定され、被覆厚さＤが設定される。これにより、シールド導体４と信号導体２間の間隔は、被覆厚さＤで所定値に設定されて所定の静電容量を得ることができる。対をなす信号導体２間の離間距離ｄは、被覆厚さの２倍の２Ｄとなる。信号導体２間の離間距離ｄにより、シールド導体４に電位差を与えて損失を生じさせる。また、絶縁体３の比誘電率、絶縁体３で覆われた信号導体２の長さに差があるとスキューが生じ、受信信号を劣化させ、ノイズを発生する。
【００１２】
また、図５の差動ペアケーブルにおいては、信号導体２とシールド導体４との距離Ｄがケーブル中心から信号導体２までの間の離間距離ｅと等しいか、それ以上となるように、絶縁体３とシールド導体４の間に絶縁スペーサ７を配して、スキューを低減するとしている。特許文献２によれば、スキューの低減は、絶縁スペーサ７が存在することにより絶縁体３に対する圧縮又はコア内変化を効果的に減らすとされ、また、全ての導体２がシールド導体４とケーブル中心との間で本質的に等距離になるように配置されていることにあるとされている。すなわち、４心以上の複数のペアケーブルによる、幾何学的な構造によるものと想定される。
【００１３】
本発明は、上述した実情に鑑みてなされたもので、信号導体とシールド導体間は、所定の静電容量を有して所定の特性インピーダンスを確保すると共に、信号導体間は、その離間する距離を狭めて結合度を高め、スキューと信号減衰を低減することができる２心平衡ケーブルの提供を課題とする。
【課題を解決するための手段】
【００１４】
本発明による２心平衡ケーブルは、内部導体を第１の絶縁層により絶縁被覆した２本のコア電線を対にして、その周囲を外部導体で覆い、外部導体の外周を第２の絶縁層で被覆した２心平衡ケーブルであって、第１の絶縁層の厚さを、第１の絶縁層の外周に外部導体を接して配したときに必要とされる静電容量より大きくなる厚さとし（内部導体間の離間距離は狭くなる）、第１の絶縁層と外部導体との間に第３の絶縁層を配し、第１の絶縁層と合わせて必要とされる特性インピーダンスとなるようにする。また、第１の絶縁層に対する第３の絶縁層の誘電率の比を０.７〜１.３とし、第３の絶縁層と外部導体との間にドレインワイヤを配した構成とすることができる。
【発明の効果】
【００１５】
本発明によれば、対となる信号導体間の離間距離を通常より小さくして結合度を高めて、スキューを低減することができ、また、シールド導体上に発生する電流を抑えて抵抗損失を少なくし、信号減衰を低減することができる。さらに、所定の静電容量を確保して所定の特性インピーダンスを有し、良好な伝送特性を持たせることができる。
【発明を実施するための最良の形態】
【００１６】
図１により本発明の実施の形態を説明する。図中、１１はコア電線、１２は内部導体、１３は第１の絶縁層、１４は外部導体、１５はドレインワイヤ、１６は第２の絶縁層、１７は第３の絶縁層を示す。
【００１７】
本発明による２心平衡ケーブルは、図１に断面で示すように、信号導体となる内部導体１２を所定の誘電率を有する第１の絶縁層（又は絶縁体）１３で被覆したコア電線（又は絶縁電線）１１を、２本を撚り合わせてツイストペアケーブル、又は撚らずに並行に揃えたツイナックスケーブルで形成することができる。２本のコア電線１１は、第３の絶縁層（又はバッファ絶縁層）１７で被覆され、その外側にシールド導体となる外部導体１４が配される。また、外部導体１４と第３の絶縁層１７との間には、少なくとも１本のドレインワイヤ１５が縦添えする構成としてもよい。外部導体１４の外面は、第２の絶縁層（又は外装）１６で被覆される。
【００１８】
信号導体となる内部導体１２には、銅やアルミ等の電気良導体又はこれらの電気良導体に錫メッキ等を施した単線又は撚り線を用いることができる。また、高周波領域での使用では、表皮効果により電流が導体表面に偏り、これによる抵抗損失が避けられないことから、表面側を低抵抗とし導体中心側を高抵抗とした２層構造の導体を用いるようにしてもよい。
【００１９】
内部導体１２の絶縁体である第１の絶縁層１３は、クロスヘッド等の押出機により供給される絶縁樹脂材の直接被覆により形成される。第１の絶縁層１３は、内部導体１２と外部導体１４との間に所定の静電容量が得られるように、製造時に誘電率と厚さが制御調整される。第１の絶縁層１３には、例えば、ポリオレフィン系の発泡絶縁樹脂を用いることができ、この場合の誘電率は、管理範囲内でのバラツキを持つが絶縁樹脂材の発泡度を変えることにより調整することができる。
【００２０】
絶縁樹脂材の発泡度は、例えば、樹脂材に熱分解性の発泡剤を練りこみ、成型時の温度によって発泡度を制御する方法、窒素等のガスを成型圧力で注入しておき、圧力解放時に発泡させる方法等がある。なお、第１の絶縁層１３としては、できるだけ誘電率が小さいものが望ましく、ポリテトラフルオロエチレン（ＰＴＦＥ）、パーフルオロエチレンプロピレンコポリマー（ＦＥＰ）、パーフルオロアルコキシアルカン（ＰＦＡ）、ポリエチレン、ポリプロピレン等が用いられる。
【００２１】
図４に示したような従来の２心平衡ケーブルの構成においては、例えば、絶縁厚さＤを有する絶縁体３の外面にシールド導体４を直接接するように配したときの静電容量がＣａであるとすると、第１の絶縁層１３の誘電率を一定とすると、絶縁厚さＤを薄くすると静電容量値Ｃａは大きくなり、ケーブルの特性インピーダンスは小さくなる。反対に、厚さＤを厚くすると静電容量値Ｃａは小さくなり、ケーブルの特性インピーダンスは大きくなる。
【００２２】
本発明においては、図１に示すように、上記した所定の静電容量値Ｃａより大きい静電容量値となるように、コア電線１１の第１の絶縁層１３の絶縁厚さＤａを薄く形成し、対にされた内部導体１２間の離間距離ｄ（絶縁厚さＤａの２倍）を通常より狭める。他方、第１の絶縁層１３と外部導体１４との間にバッファ絶縁層として、第３の絶縁層１７を配する。この第３の絶縁層１７は、誘電率εｂと絶縁厚さＤｂを有し、第１の絶縁層１３の絶縁厚さＤａを薄くしたことにより低下した特性インピーダンスを補償する。
【００２３】
第３の絶縁層１７は、高周波で安定した電気的特性を示す絶縁樹脂材料で形成することが望ましく、第１の絶縁体１３と同様なＰＴＦＥ、ＦＥＰ、ＰＦＡ、ポリエチレン、ポリプロピレン等を用いることができる。また、必要に応じて発泡させその誘電率εｂを小さくして使用するようにしてもよい。この第３の絶縁層１７は、２本のコア電線１１を対にして、その外周にテープ巻きの形態で、所定の絶縁厚さＤｂとなるように設けるのが、設備や製造効率の面から好ましい。しかし、微細な周期的構造変動などによる特定周波数での伝送特性の劣化が問題になるような場合には、押出成型で形成するようにしてもよい。
【００２４】
内部導体１２と外部導体１４間の静電容量は、第１の絶縁層１３と第３の絶縁層１７との合計の離間距離（Ｄ＝Ｄａ＋Ｄｂ）で考えることができる。その静電容量は、絶縁樹脂材の誘電率と絶縁厚さに関係する。そこで、第１の絶縁層１３の誘電率εａ、絶縁厚さＤａと、第３の絶縁層１７の誘電率εｂ、絶縁厚さＤｂとの組合せを選択することで、ケーブル外径を増加することなく内部導体１２間の離間距離ｄを狭めることは可能である。
【００２５】
したがって、第３の絶縁層１７の誘電率εｂは、第１の絶縁層１３の誘電率εａと同じであってもよいが、異ならせてもよい。この場合、第３の絶縁層１７と第１の絶縁層１３の誘電率の比（εｂ／εａ）は、０.７〜１.３の範囲で異ならせるとよい。しかし、第１の絶縁層１３の絶縁厚さＤａをあまり薄くすると、その分、第３の絶縁層１７の絶縁厚さＤｂが厚くなり、ケーブル外径が大きくなる。ケーブル外径を増加させずに、第３の絶縁層１７を付加するには、第１の絶縁層１３の絶縁厚さＤａを０.７Ｄａ程度の縮小に止める必要がある。また、内部導体１２同士の電気的絶縁を確保する必要もあるので、あまり薄くすることはできない。
【００２６】
シールド導体となる外部導体１４は、アルミ又は銅などの金属箔をポリエチレンテレフタレート（ＰＥＴ）等のプラスチック基材にラミネートした金属箔テープを、縦添え又は螺旋巻付けで形成される。外部導体１４には、編組導体を用いることもできるが、高周波の場合は表皮効果が生じるので金属箔テープの方が好ましく、また、製造及び価格的にも金属箔テープの方が有利である。外部導体１４の内面には、電気的に接触する少なくとも１本のドレインワイヤ１５を配し、外部導体１４をグランドに接地接続するのを容易にしている。ドレインワイヤ１５は、２本のコア電線１１から等距離となる位置に配するのが好ましく、これにより、対にされた内部導体１２間における伝送特性に差が生じないようにして、スキュー発生を抑制する。
【００２７】
外部導体１４の外面には、ケーブルの外被あるいはジャケットとも称される第２の絶縁層１６が、保護のために配される。この第２の絶縁層１６は、ポリエチレン、ポリ塩化ビニル、フッ素樹脂等の熱可塑性樹脂を、クロスヘッド等を用いた押出し成型で形成するか、あるいは、樹脂テープを巻きつけて形成する。第２の絶縁層１６は、金属箔テープからなる外部導体１４と接着一体化されて、外部導体１４を電気的に絶縁して保護すると共に外部導体１４の強度を補強し、屈曲等で外部導体１４が破断されるのを防止する。また、端末形成の際には、第２の絶縁層１６と一体に外部導体１４を剥離し、端末処理を容易にすることができる。
【００２８】
上述した２心平衡ケーブル（ツイナックスケーブル）についての伝送特性を評価すべく、対となるコア電線の一方の誘電率を変えてスキューを生じさせるようにして解析を行なった。解析に使用したコア電線の内部導体の太さは、ＡＷＧ２８とし、一方のコア電線の有効比誘電率ε１とする。他方のコア電線は、前記の一方のコア電線に対して、１００ｐｓ／ｍの遅延が生じるように有効比誘電率ε２を設定する。この他方のコア電線の有効比誘電率ε２の設定には、以下の方法を用いた。
【００２９】
信号の遅延時間  Ｔｄ＝Ｌ／ｖ  （Ｌ：ケーブル長で１ｍ    ｖ：信号の伝搬速度）
信号の伝搬速度  ｖ＝ｃ／√ε  （ｃ：光速    ε：有効比誘電率）
であるので、一方のコア電線の有効比誘電率ε１を、例えば、１.６とすると、このコア電線における信号の伝搬速度ｖ１は、２.３７×１０５（ｋｍ／ｓ）で、遅延時間（１ｍ）は４２１６ｐｓである。これに、１００ｐｓの時間差を加えた４３１６ｐｓの遅延時間を、他方のコア電線に生じさせるような有効比誘電率を上記の式から求める。この場合の信号の伝搬速度ｖ２は、２.３１×１０５（ｋｍ／ｓ）で、この伝搬速度を得るのに必要な有効比誘電率１.６８が算出される。前記の他方のコア電線の有効比誘電率ε２を、上記の算出された１.６８とすることにより、物理長が１ｍの２本のコア電線間で、１００ｐｓのスキューを生じさせることができる。
【００３０】
以上のように、２本のコア電線間で１００ｐｓ／ｍのスキューを生じさせるために、２本のコア電線のそれぞれの有効比誘電率ε１（１.６）とε２（１.６８）として、以下の実施例１及び比較例１ａ，１ｂについてのシミュレーションを行なった。
実施例１  ：図１の本発明によるシールドされた２心平衡ケーブル（２本の信号導体の離間距離ｄを狭めた形態）。
比較例１ａ：図４に示す従来のシールドされた２心平衡ケーブル。
比較例１ｂ：１００ｐｓ／ｍのスキューを与えた２本のコア電線。
【００３１】
なお、何れの場合もコア電線の導体（２，１２）には外接円径０.３２ｍｍ（ＡＷＧ２８）の単線を用い、絶縁層（３，１３）の外径を、実施例１においては、０.６７ｍｍとして２心の内部導体の離間距離ｄを狭め、比較例１ａ，１ｂにおいては、０.８７ｍｍとした。また、実施例１においては、バッファ絶縁層（１７）として比誘電率１.９の絶縁テープを巻付けて絶縁厚さ０.２ｍｍを追加した。シールド導体（４，１４）、ドレインワイヤ（５，１５）及び外被（６，１６）については、実施例１，比較例１ａで共に同じ構成とした。
【００３２】
以上の実施例１，比較例１ａ，比較例１ｂについて、シミュレーションによりスキューを求めると、実施例１のスキューは５２ｐｓ、比較例１ａのスキューは９２ｐｓ、比較例１ｂのスキューは１０２ｐｓであった。この結果、２本のコア電線を１組にして差動伝送を行なう場合、２本のコア電線の信号導体間の離間距離ｄを狭め、結合度を高めることにより、スキューを減少させることができる。そして、スキューが減少することで受信信号の劣化を軽減することができると共に、伝送路中間からのノイズの発生を低減し、外部回路への悪影響を防止することができる。
【００３３】
また、信号導体（内部導体１２）間の離間距離ｄが狭まることで、シールド導体（外部導体１４）上に電位差を与えるのを軽減することができる。これによりシールド導体上に微小な環状電流が流れて抵抗損失が生じるのを軽減し、信号の減衰を抑えることができる。また、信号導体間の離間距離ｄを狭めた分、シールド導体と絶縁体（第１の絶縁層１３）との間にバッファ絶縁層（第３の絶縁層１７）を配することにより、特性インピーダンスの低下を補償し、所定の特性インピーダンスを確保することができる。
【００３４】
図２は差動伝送における実施例１，比較例１ａ，１ｂでの減衰特性を示す図である。この図２は、伝送路の一方から差動正弦波信号を入力し、伝送路の他方から出力される信号を計測して、その減衰状態を示している。本発明による実施例１の減衰特性は（ａ）で示し、周波数が高くなることで多少の増加傾向はあるが、低損失とすることができた。これに対し、比較例１ａの減衰特性は（ｂ）で示されるように、特定の周波数領域によって大きく減衰し、また、比較例１ｂについても減衰特性は（ｃ）で示されるように、特定周波数でピーク状の大きな減衰が生じた。
【００３５】
また、図３は、伝送路の一方の端部からデジタル信号（０，１）を１０Ｇｂｐｓの速度で入力し、出力側に伝送されたアイパターンを観測した図である。図３（Ａ）は、本発明による実施例１の場合で、スキューは５２ｐｓであるが、信号の目の部分が広くクリアで良好なアイパターンを観測することができた。他方、図３（Ｂ）は、従来例の比較例１ａの場合で、スキューは９２ｐｓであるが、パターンが乱れ入り組んだ状態でのアイパターンが観測された。図３（Ｃ）は、コア電線２本を並べただけの比較例１ｂの場合で、アイパターンの中央に「０」でも「１」でもない不明瞭なラインが観測され、信号が正しく伝送されていないと思われる。
【００３６】
上記の実施例１、比較例１ａ，１ｂは、２本のコア電線間に１００ｐｓ／ｍのスキューを強制的に生じるようにしてシミュレーションした例であるが、以下に実際の２心平衡ケーブルで、コア電線の絶縁体の誘電率を同じ１.６とし、その外径を異ならせた実施例２と比較例２、並びに実施例３と比較例３について説明する。実施例２〜比較例３のいずれの例においても、コア電線の内部導体の太さは、ＡＷＧ２８とし、絶縁体に発泡ポリエチレンを用い、その誘電率を１.６とした。また、シールド導体にはアルミ箔ポリエチレンテープを用い、外被にポリエチレンテレフタレート（ＰＥＴ）を用いた。また、評価のためのケーブル長さは、スキューの評価がしやすくするために１０ｍの長さとした。
【００３７】
実施例２及び比較例２の信号導体には、外接円径０.３２ｍｍの単線を用い、実施例２のコア電線の絶縁体の外径を０.６７ｍｍ、比較例２のア電線の絶縁体の外径を０.８７ｍｍした。また、実施例２のコア電線とシールド導体との間に誘電率１.９のＰＴＦＥを厚さ０.２ｍｍで介在させた。これに対し、比較例２にはコア電線の絶縁体の外面に直にシールド導体を巻付けた。なお、実施例２及び比較例２のいずれにも、シールド導体の内面に接する、外径０.２５４ｍｍの単線からなるドレインワイヤを配した。
【００３８】
実施例２の信号導体間の距離は、絶縁体の外径と同じ０.６７ｍｍで、比較例２の信号導体間の距離は、０.８７ｍｍとなる。実施例２と比較例２のそれぞれのスキューをＴＤＲ（Time Domain Reflectometry：３００ｍρ上昇部）で測定すると、実施例２では１４ｐｓ／１０ｍ、比較例２では２５ｐｓ／１０ｍであった。このスキュー値の比（１４／２５＝０.５６）となるが、実施例１と比較例１ａのシミュレーションによるスキュー値の比（５２／９２＝０.５７）と、一致する結果となった。また、周波数０.５ＧＨｚ〜５ＧＨｚの範囲でケーブルの信号減衰量を比較すると、実施例２は、比較例２よりも１〜４.５ｄＢ／１０ｍ程度少なかった。
【００３９】
また、実施例３及び比較例３は、信号導体に外径０.１２７ｍｍの素線７本を撚った外接円径０.３８１ｍｍの撚り線を用い、実施例３のコア電線の絶縁体の外径を０.７２ｍｍ、比較例３のア電線の絶縁体の外径を０.９２ｍｍした。また、実施例３のコア電線とシールド導体との間に誘電率１.９のＰＴＦＥを厚さ０.２ｍｍで介在させた。これに対し、比較例３にはコア電線の絶縁体の外面に直にシールド導体を巻付けた。なお、実施例３及び比較例３のいずれにも、シールド導体の内面に接する、外径０.４ｍｍの単線からなるドレインワイヤを配した。周波数０.５ＧＨｚ〜５ＧＨｚの範囲でケーブルの信号減衰量を比較すると、実施例３は、比較例３よりも１〜２.５ｄＢ／１０ｍ程度少なかった。
【図面の簡単な説明】
【００４０】
【図１】本発明による２心平衡ケーブルの概要を説明する図である。
【図２】本発明による２心平衡ケーブルの減衰特性を示す図である。
【図３】本発明による２心平衡ケーブルのアイパターンを示す図である。
【図４】従来構造の２心平衡ケーブルを説明する図である。
【図５】従来の２対（４心）の差動ペアケーブルを示す図である。
【符号の説明】
【００４１】
１，１１…コア電線（絶縁電線）、２，１２…内部導体（信号導体）、３，１３…第１の絶縁層（絶縁体）、４，１４…外部導体（シールド導体）、５，１５…ドレインワイヤ、６，１６…第２の絶縁層（外被）、７…絶縁スペーサ、８…充填芯材、１７…第３の絶縁層。
【図１】
2007026909.tif 000003
【図２】
2007026909.tif 000004
【図３】
2007026909.tif 000005
【図４】
2007026909.tif 000006
【図５】
2007026909.tif 000007